(57)【要約】【課題】ペンダントやカメオ等の装身具の表面に表れることなく飾り体と一体になって装身具のデザインに影響を与えることなく、しかも操作性に優れ、ネックレス等の紐状部材を損傷させることなく、また、止め具自体を各種の装身具に取付けることが可能な実用的価値に優れた止め具付きペンダントとその止め具を提供すること。【解決手段】飾り体２の裏側に止具本体１１を取付け、この止具本体１１には、上方よりネックレス１を挿入する挿入口９ａと通過口９ｂを有する係合部３と、この係合部の下部にバネを内蔵した有底の筒部４とからなり、止具本体内１１に設けた止め杆をバネの弾発力で上方へ付勢させ、この止め杆の側部に設けた操作部８を止具本体１１の外部に露出させ、この操作部８をバネに抗して押し下げた状態で挿入したネックレス１をバネの付勢力で上方移動した止め杆の上端部で係合部の内面に係合保持させた止め具付きペンダントである。【選択図】      図１
0003124679.tif 000002
【実用新案登録請求の範囲】
【請求項１】
飾り体の裏側に止具本体を取付け、この止具本体には、上方よりネックレスを挿入する挿入口と通過口を有する係合部と、この係合部の下部にバネを内蔵した有底の筒部とからなり、前記止具本体内に設けた止め杆を前記バネの弾発力で上方へ付勢させ、この止め杆の側部に設けた操作部を止具本体の外部に露出させ、この操作部をバネに抗して押し下げた状態で挿入したネックレスをバネの付勢力で上方移動した止め杆の上端部で前記係合部の内面に係合保持させたことを特徴とする止め具付きペンダント。
【請求項２】
前記ネックレスは、ボールチェーン、ベネチアチェーン、あずきチェーン或はその他の各種のチェーンである請求項１に記載の止め具付きペンダント。
【請求項３】
前記係合部の内面をテーパ面とした請求項１又は請求項２に記載の止め具付きペンダント。
【請求項４】
上方に挿入口と通過口を有する係合部と有底の筒部から成る止具本体内にコイルスプリングとコイルスプリングの弾発力で付勢する止め杆を設け、この止め杆の側部に設けた操作部を前記止具本体に露出させたことを特徴とする止め具。
【請求項５】
前記止め具をカメオやペンダント等の飾り体に取付けた請求項４に記載の止め具。
【考案の詳細な説明】
【技術分野】
【０００１】
本考案は、ボールチェーン等のネックレス等に設けたペンダントやカメオ或はその他の飾り体の位置を適宜に選定可能とした止め具付きペンダントとその止め具に関する。
【背景技術】
【０００２】
通常、ネックレス等の紐状の装身具は、使用者の好みに応じて、その径を適宜に調整するために、ネックレスに取付けた固定金具で所望の位置に止着して使用している。
【０００３】
この使用例を具体的に説明すると、飾り体の裏側の枠の内部に設けた２枚のバネ板の間にチェーンを通して、バネ板間のチェーンに沿って飾り体を強制的に上下動させることによってその径を調整している（特許文献１参照）。
【０００４】
また、チェーンを固定金具に通し、この金具に設けた固定棒とバネによりチェーンを止着するネックレスがあり、このネックレスの下端部に固定金具とは別に飾りを設けたものが提案されている（特許文献２）。
更に、チェーンを挿通した中空ハウジングの前面に頭部を出没可能に設けた挟持体とバネによりチェーンのリング径を調節するものも知られている。（特許文献３）。
【０００５】
【特許文献１】実公昭３７−１８６４号公報
【特許文献２】特開平１０−２９５４号公報
【特許文献３】特開２００１−２１９号公報
【考案の開示】
【考案が解決しようとする課題】
【０００６】
しかしながら、特許文献１は、飾り体の裏側に止め具を設けたものではあるが、チェーンを挟持した状態で、強引に飾り体を上下させるものであるから、操作が面倒であるばかりか、繰り返し使用によってチェーンが破断するおそれがあった。
【０００７】
特許文献２は、チェーンに固定金具を取付け、この固定金具自体で位置調整をするものであるから、ネックレスとしての装飾性が著しく低下し、操作性も良いものとは言えなかった。
【０００８】
特許文献３は、上記と同様にリング径調節機構をチェーン自体に取付け、これを操作することによってリング径を調節するものであるため、ネックレスとしての装飾的価値が減殺し、実用的価値の低いものであった。
【０００９】
本考案は、上記の課題点を解決するためのものであり、その目的とするところは、止め具がペンダントやカメオ等の装身具の表面に表れることなく飾り体と一体になって装身具のデザインに影響を与えることなく、しかも、操作性に優れ、ネックレス等の紐状部材を損傷させることなく、止め具自体を各種の装身具に取付けることが可能な実用的価値に優れた止め具付きペンダントとその止め具を提供することにある。
【課題を解決するための手段】
【００１０】
上記の目的を達成するために、請求項１に係る考案は、飾り体の裏側に止具本体を取付け、この止具本体には、上方よりネックレスを挿入する挿入口と通過口を有する係合部と、この係合部の下部にバネを内蔵した有底の筒部とからなり、前記止具本体内に設けた止め杆を前記バネの弾発力で上方へ付勢させ、この止め杆の側部に設けた操作部を止具本体の外部に露出させ、この操作部をバネに抗して押し下げた状態で挿入したネックレスをバネの付勢力で上方移動した止め杆の上端部で前記係合部の内面に係合保持させた止め具付きペンダントである。
【００１１】
請求項２に係る考案は、ネックレスは、ボールチェーン、ベネチアチェーン、あずきチェーン或はその他の各種のチェーンである止め具付きペンダントである。
【００１２】
請求項３に係る考案は、係合部の内面をテーパ面とした止め具付きペンダントである。
【００１３】
請求項４に係る考案は、上方に挿入口と通過口を有する係合部と有底の筒部から成る止具本体内にコイルスプリングとコイルスプリングの弾発力で付勢する止め杆を設け、この止め杆の側部に設けた操作部を前記止具本体に露出させた止め具である。
【００１４】
請求項５に係る考案は、止め具をカメオやペンダント等の飾り体に取付けた止め具である。
【考案の効果】
【００１５】
請求項１に係る考案によると、止め具は飾り体の表面の表れることなく、飾り体と一体となるため、ペンダントのデザイン性を低下させることがなく、しかも、操作性が良好であると共にネックレス等の紐状部材を損傷させることが全くない。
【００１６】
請求項２に、係る考案によると、この止め具は、ボールチェーンに好適であり、使用中に切断されやすいチェーンにも影響をあたえることなく、適宜位置に止めることができる。
【００１７】
請求項３に係る考案によると、止め杆が上端部でボールチェーン等をテーパ面にくさび効果で押圧係合できるため、ボールチェーンを確実に係合して止着することができる。
【００１８】
請求項4又は５に係る考案によると、止具本体をペンダントやカメオ等の装身具の裏側に取付けることができ、その実用的価値は極めて大きい。
【考案を実施するための最良の形態】
【００１９】
本考案における止め具付きペンダントとその止め具について好ましい実施形態を図面に基づいて詳述する。
図１は、止め具とペンダントをボールチェーンであるネックレスに取付けた正面図であり、図２は、図１を裏側から見た裏面図である。図３は、止め具の拡大正面図であり、図４は、図３のＡ−Ａ線断面図、図５は、止め具でボールチェーンを固着した状態を示す拡大断面図、図６は、図５の固着状態を外した断面図である。図７は、図５のＢ−Ｂ線断面図、図８は、図５のＣ−Ｃ線断面図である。
【００２０】
図１、図２において、ペンダント（飾り体）の裏側に止具本体１１をろう付けやその他の固着手段で固着する。図３において、止具本体１１は、上方よりネックレス１を挿入する挿入口９ａと下方からネックレス１を通過させる２つの通過口９ｂを有する係合部３ａと下部にコイルスプリング（バネ）６を内蔵した有底の筒部４から構成されている。
【００２１】
図４において、止具本体１１内には、止め杆７を設け、この止め杆７の下部の突部７ａをコイルスプリング６の上端に当接させ、止め杆７をコイルスプリング６の弾発力で上方へ付勢させ、更に、止め杆７の側部に設けた操作部８を止具本体１１の外部に露出させ、この操作部８は、筒部４に形成した開口部５の上方内側に係合させ更に、操作部８を開口部５に沿って下方へ移動操作できるようになっている。
【００２２】
図５において、止め杆７は上端部１０でチェーン１ｂで連結したボールチェーンのボール１ａをテーパ面３ａに押圧係合させてそのくさび効果により、ボールチェーン等のネックレス１を適宜位置に確実に止着できるようにしている。この上端部１０の近傍を上方へ拡がったテーパ面とすることによって、よりチェーンの押圧効果を高めることができる。
【００２３】
図に示した止め具は、上記の例以外に止具本体をカメオ等の装身具の裏側に適宜の固着手段で固着することができ、装身具の止め具として極めて実用価値が高い。
【００２４】
本考案におけるペンダント２をボールチェーン１の適宜位置に調整する例を説明する。
図１、図２に示すように、ボールチェーン１の両端部をペンダント１の裏側に固着した止具本体１１の挿入口９ａより挿入して、２つの通過口９ｂより通過させる。この場合、操作部８を下方に移動させて止め杆７の上端部１０を下方に位置させておく。
【００２５】
図１のボールチェーン１ａを使用者の首に装着させ、次いで、指でペンダント２を押圧しながら、親指で操作部８を押し下げると、図６に示すように、止め杆７の上端部１０が下方に位置するので、この状態、図１の状態で指で押圧したまま、ペンダント２を指で挟みながら上方又は下方に移動させて、使用者の好みの位置にペンダント２を位置させる。
【００２６】
このとき、操作部８から指を離すと止め杆７は、コイルスプリング６の弾発力で上方に移動すると共に、止め杆７の上端部１０が図５に示すように、ボ−ル１ａを押圧する。すると、ボール１ａは止め杆７の上端部１０で係合部３ａのテーパ面３ａにくさび効果で押圧係合され、ボールチェーンにペンダント２を止具本体１１により確実に止着することができる。
【図面の簡単な説明】
【００２７】
【図１】止め具とペンダントをボールチェーンであるネックレスに取付けた正面図である。
【図２】図１を裏側から見た裏面図である。
【図３】止め具の拡大正面図である。
【図４】図３のＡ−Ａ線断面図である。
【図５】止め具でボールチェーンを固着した状態を示す拡大断面図である。
【図６】図５の固着状態を外した断面図である。
【図７】図５のＢ−Ｂ線断面図である。
【図８】図５のＣ−Ｃ線断面図である。
【符号の説明】
【００２８】
１  ネックレス（ボールチェーン）
１ａ  ボールチェーンのボール
２  飾り体（ペンダント）
３  係合部
３ａ  テーパ面
４  筒部
５  開口部
６  バネ（コイルスプリング）
７  止め杆
８  操作部
９ａ  挿入口
９ｂ  通過口
１０  上端部
１１  止め具本体
【図１】
0003124679.tif 000003
【図２】
0003124679.tif 000004
【図３】
0003124679.tif 000005
【図４】
0003124679.tif 000006
【図５】
0003124679.tif 000007
【図６】
0003124679.tif 000008
【図７】
0003124679.tif 000009
【図８】
0003124679.tif 000010